(57)【特許請求の範囲】
【請求項１】
浴室の天井開口より挿入されると共に、浴室の天井に取り付けられる空調装置用本体ボックスと、スピーカーとを具備する浴室用空調装置において、
前記スピーカーが取付けられたスピーカーボックスを前記空調装置用本体ボックスとは別個に設け、前記空調装置用本体ボックスを前記天井に取り付ける前記空調装置用本体ボックスのフランジ部に、前記スピーカーボックスを着脱可能に取付けて、前記スピーカーボックスを前記空調装置用本体ボックスの外部で前記天井の室内側に配置した
ことを特徴とする浴室用空調装置。
【請求項２】
前記スピーカーボックスを、前記空調装置用本体ボックスの両側に取付けた
ことを特徴とする請求項１に記載の浴室用空調装置。
【請求項３】
前記空調装置用本体ボックスの室内側の面と前記スピーカーボックスの両方を覆うフロントパネルを設けた
ことを特徴とする請求項１又は２に記載の浴室用空調装置。
【請求項４】
請求項１〜３のいずれか１項に記載の浴室用空調装置と、
室の壁に設置したコントローラと、
天井裏に設置した電源ボックスとを具備した
ことを特徴とするスピーカーシステム。
【発明の詳細な説明】
【技術分野】
【０００１】
本発明は、空調装置用本体ボックスと、スピーカーとを具備する空調装置およびこの空調装置を具備したスピーカーシステムに関する。
【背景技術】
【０００２】
従来から、換気装置用本体ボックスと、その換気装置用本体ボックス内に配置されたスピーカーとを具備し、換気装置用本体ボックスをスピーカーボックスとして用いた換気装置が知られている。この種の換気装置の例としては、例えば特開平５−１３３５８２号公報に記載されたものがある。特開平５−１３３５８２号公報に記載された換気装置では、例えば天井裏などに取付けられる換気装置用本体ボックスの内部にスピーカーが配置され、それにより、換気装置とは別個にスピーカーおよびスピーカーボックスを例えば天井面などに取付けなければならない必要性が回避されている。
【０００３】
ところが、特開平５−１３３５８２号公報に記載された換気装置のように、換気装置用本体ボックスがスピーカーボックスとして用いられる場合には、スピーカーの裏面から出る音によって換気装置用本体ボックスが共振を起こしてしまい、スピーカーの表面から出る音の特に低音域が聞こえにくくなって、音質が低下してしまう。
【０００４】
【特許文献１】特開平５−１３３５８２号公報
【発明の開示】
【発明が解決しようとする課題】
【０００５】
前記問題点に鑑み、本発明は、空調装置用本体ボックスをスピーカーボックスとして用いずに、施工性と音質を向上させることができる空調装置を提供することを目的とする。
【課題を解決するための手段】
【０００６】
請求項１に記載の発明によれば、浴室の天井開口より挿入されると共に、浴室の天井に取り付けられる空調装置用本体ボックスと、スピーカーとを具備する浴室用空調装置において、スピーカーが取付けられたスピーカーボックスを空調装置用本体ボックスとは別個に設け、空調装置用本体ボックスを天井に取り付ける空調装置用本体ボックスのフランジ部に、スピーカーボックスを着脱可能に取付けて、スピーカーボックスを前記空調装置用本体ボックスの外部で天井の室内側に配置したことを特徴とする浴室用空調装置が提供される。
【０００８】
請求項２に記載の発明によれば、スピーカーボックスを、空調装置用本体ボックスの両側に取付けたことを特徴とする請求項１に記載の浴室用空調装置が提供される。
【０００９】
請求項３に記載の発明によれば、空調装置用本体ボックスの室内側の面とスピーカーボックスの両方を覆うフロントパネルを設けたことを特徴とする請求項１又は２に記載の浴室用空調装置が提供される。
【００１２】
請求項４に記載の発明によれば、上述した請求項１〜３のいずれか１項に記載の浴室用空調装置と、室の壁に設置したコントローラと、天井裏に設置した電源ボックスとを具備したことを特徴とするスピーカーシステムが提供される。
【００１３】
詳細には、例えば脱衣所の壁等に設置されるコントローラには、例えば電源スイッチ、ボリュームスイッチ、第１外部音源入力用端子、プリアンプ等が設けられ、例えば浴室の天井裏等に設置される電源ボックスには、例えば電源入力部、メインアンプ、第２外部音源入力用端子等が設けられている。好ましくは、第２外部音源入力用端子に例えばテレビ放送、有線放送等のような音声が入力される。また、好ましくは、第１外部音源入力用端子を介して入力された音源と、第２外部音源入力用端子を介して入力された音源とが、単一のコントローラによって制御される。
【００１４】
なお、上述した空調装置として、増幅器と、入浴者が浴室内に入室したと判断された時に、増幅器をオフ状態からオン状態に自動的に切り換える自動切換え手段とを設けても良い。このような空調装置では、入浴者が入浴時に増幅器をオフ状態からオン状態に手動で切り換えなければならない煩雑さが排除される。
【００１５】
また、上述した空調装置として、集音装置を設け、集音装置により採集された音に対して逆位相の音をスピーカーから発生させても良い。このような空調装置では、空調装置の作動音を打ち消すための逆位相の音がスピーカーから発生され、空調装置の作動に伴う騒音が低減される。
【００１６】
更に、上述した空調装置として、空調装置の作動時間よりも短い所定時間の間、集音装置によって音を採集しても良い。空調装置の作動音には周期的な音が多く含まれる点に鑑み、空調装置の作動時間よりも短い所定時間の間、集音装置によって音を採集することで、空調装置の作動時間中、集音装置によって音が採集される場合よりも、逆位相の音の演算工程が簡素化される。
【００１７】
また、上述した空調装置として、空調装置からの風の流れまたは空調装置への風の流れを整流するための突出部を設けても良い。このような空調装置では、突出部が設けられていない場合よりも、空調装置から室内に供給される風の指向性が向上される。詳細には、例えば空調装置からの風を室内の中央に集中的に供給することができる。また、突出部が設けられていない場合よりも効果的に室内の空気を空調装置内に吸い込むことができる。詳細には、室内の湿気を空調装置内に効果的に吸い込むことができる。更に、好ましくは、フロントパネルに突出部を設ける構成とすることにより、フロントパネルの取付け時に突出部が把持部として用いられる。そのため、把持部としての突出部が設けられていない場合よりもフロントパネルの取付けを容易にすることができる。
【００１８】
また、樹脂材料により形成された単一または複数の部材によってスピーカーボックスを構成し、複数の部材の間またはスピーカーボックスとスピーカーとの間をシール部材によってシールしても良い。これにより、それらの隙間を介してスピーカーボックス内に湿気が浸入してしまうことが抑制される。好ましくは、例えば発泡ゴム、グラスウール等のような吸音材がスピーカーボックス内に配置されている。
【発明の効果】
【００１９】
本発明の空調装置では、スピーカーボックスが空調装置用本体ボックスとは別個に設けられ、スピーカーボックスは空調装置用本体ボックスに対して着脱可能に構成されている。これにより、例えば左用および右用の２個のスピーカーボックスが空調装置用本体ボックスのフランジ部に対して例えばネジ等によって着脱可能に構成され、好ましくは、スピーカーボックスと空調装置用本体ボックスとが一体化された状態で空調装置が天井に取付けられる。そのため、スピーカーボックスと空調装置用本体ボックスとが別個に天井に取付けられる場合よりも空調装置の施工性を向上させることができる。
【００２０】
また、空調装置用本体ボックスがスピーカーボックスとして用いられないので、空調装置用本体ボックスの共振に伴ってスピーカーの表面から出る音の特に低音域が聞こえにくくなってしまうという問題点を解消することができる。
【００２１】
更に、スピーカーボックスが空調装置用本体ボックスの外部に配置されており、スピーカーが空調装置用本体ボックスの内部に配置されるのに伴って空調装置内の空気の流れが妨げられて空調装置の性能が低下してしまうのを回避することができる。
【００２２】
また、スピーカーボックスが空調装置用本体ボックスのフランジ部に取付けられることで、好ましくは、空調装置が天井に取付けられた時に、スピーカーおよびスピーカーボックスが、天井裏に埋設されるのではなく、室内に突出せしめられる。そのため、空調装置を取付けるための天井の穴の開口面積および深さを小さく抑えることができる。
【００２３】
更に、好ましくは、空調装置用本体ボックスが天井に取付けられた状態のままでスピーカー交換が行われる。そのため、空調装置用本体ボックスを天井から取り外さなければならない場合よりもスピーカー交換を容易にすることができる。
【００２４】
また、フロントパネルが空調装置用本体ボックスおよびスピーカーボックスの両方を覆う一体型として構成されている。そのため、空調装置用本体ボックスのフロントパネルとスピーカーボックスのフロントパネルとを別個に取付けなければならない場合よりもフロントパネルの取付けを容易にすることができる。更に、空調装置用本体ボックスのフロントパネルとスピーカーボックスのフロントパネルとが別個に設けられている場合よりもデザイン性を向上させることができる。
【００２８】
また、本発明のスピーカーシステムでは、コントローラと電源ボックスとが別個に設けられている。そのため、コントローラと電源ボックスとが一体化されている場合よりもコントローラを小型化することができる。好ましくは、空調装置用コントローラとスピーカー用コントローラとが一体化される。そのため、空調装置用コントローラとスピーカー用コントローラとが別個に設けられている場合よりも、例えば脱衣所のようなコントローラ設置場所におけるコントローラのデザイン性、およびコントローラの施工性を向上させることができる。
【発明を実施するための最良の形態】
【００２９】
図１は浴室や浴室以外の部屋に適用される空調装置の概略斜視図、図２は図１に示した空調装置の断面図、図３は図２に示した空調装置を図２の左側から見た断面図、図４は図２に示した空調装置を図２の上側（天井側）から見た図である。
【００３０】
図１から図４において、１１０は空調装置、１１２は空調装置用本体ボックス、１１３はカバーである。Ｔは空調装置１１０が適用される部屋の天井、ｔは空調装置１１０を配置するために天井Ｔに形成された開口、ＴＨ，ＫＳは空調装置１１０を天井Ｔに固定するためのネジ穴である。
【００３１】
空調装置１１０では、空調装置用本体ボックス１１２が単一の部材によって構成されているが、空調装置１１０の変形例では、代わりに、空調装置用本体ボックスを同一または異なる材質（例えば、金属、樹脂など）の複数の部材によって構成することも可能である。また、空調装置１１０では、空調装置用本体ボックス１１２が概略直方体形状に形成されているが、空調装置１１０の変形例では、空調装置用本体ボックスを直方体以外の任意の形状に形成することも可能である。
【００３２】
１１１は空調装置１１０の一部を構成する換気ユニット、１１８は空調装置１１０が適用された室内の空気を換気ユニット１１１内に吸い込むための吸気口である。１１７は換気ユニット１１１内に吸い込まれた空気を室外に排出するための排気口である。１１５は室内の空気を換気ユニット１１１内に吸い込み、その空気を室外に排出するための換気用ファンである。Ｍ１は換気用ファン１１５を駆動するためのモータである。１３０は室内の空気を吸気口１１８に供給するための通路、１３０Ａは通路１３０の入口開口、１３１は換気用ファン１１５によって換気される空気量を調整するために通路１３０内に配置されたシャッタである。
【００３３】
１２０は空調装置１１０の一部を構成する循環ユニット、１２３Ｃは空調装置１１０が適用された室内の空気を循環ユニット１２０内に吸い込むための吸気口である。１２１Ａは循環ユニット１２０内に吸い込まれた空気を室内に吹き出して循環させるための吹出口である。１２４は室内の空気を循環ユニット１２０内に吸い込み、その空気を室内に吹き出して循環させるための循環用ファンである。１２４’は循環用ファン１２４を収容するためのファンケースである。Ｍ２は循環用ファン１２４を駆動するためのモータである。１２６は室内に吹き出して循環せしめられる空気を加熱するためのヒータである。
【００３４】
空調装置１１０では、室内の空気を加熱して循環させる暖房モードが設けられている。暖房モードが選択されると、循環用ファン１２４により吸気口１２３Ｃを介して循環ユニット１２０内に吸い込まれた空気が、ヒータ１２６によって加熱され、室内に吹き出される。
【００３５】
更に、空調装置１１０では、室内の空気を室外に排出する換気モードが設けられている。換気モードが選択されると、図３に示すように、シャッタ１３１が破線で示す位置に配置される。次いで、図２および図３に示すように、換気用ファン１１５により、入口開口１３０Ａ、通路１３０、および吸気口１１８を介して換気ユニット１１１内に吸い込まれた空気が、排気口１１７を介して室外に排出される。
【００３６】
更に、空調装置１１０では、室内の空気の一部を加熱して循環させつつ、室内の空気の一部を室外に排出する乾燥モードが設けられている。乾燥モードが選択されると、図３に示すように、シャッタ１３１が破線で示す位置に配置される。次いで、図２に示すように、循環用ファン１２４により吸気口１２３Ｃを介して循環ユニット１２０内に吸い込まれた室内の空気の一部が、ヒータ１２６によって加熱され、室内に吹き出される。更に、図２および図３に示すように、換気用ファン１１５により、入口開口１３０Ａ、通路１３０、および吸気口１１８を介して換気ユニット１１１内に吸い込まれた室内の空気の一部が、排気口１１７を介して室外に排出される。
【００３７】
更に、空調装置１１０では、室内の空気を加熱することなく少量を排気しながら循環させる涼風モードが設けられている。涼風モードが選択されると、図２に示すように、循環用ファン１２４により吸気口１２３Ｃを介して循環ユニット１２０内に吸い込まれた空気が、ヒータ１２６によって加熱されることなく、室内に吹き出される。
【００３８】
上述したように、空調装置１１０では、暖房モードと、換気モードと、乾燥モードと、涼風モードとが設けられているが、空調装置１１０の変形例では、代わりに、例えば、それらのモードのうちの１つのみを設けることも可能である。つまり、本発明は、暖房モード、換気モード、乾燥モード、および涼風モードのうちの少なくとも１つのモードを有する空調装置に対して適用可能である。
【００３９】
以下、本発明の空調装置の第１の実施形態について説明する。図５は本発明の空調装置の第１の実施形態の断面図、図６は図５に示した空調装置を図５の下側（室内側）から見た図である。図５および図６において、３１０は第１の実施形態の空調装置、３１２は空調装置用本体ボックス、３１２’は空調装置用本体ボックス３１２のフランジである。３１３はフロントパネル（カバー）、３３０は空調装置３１０を、詳細には、フランジ３１２’を天井Ｔに固定するための固定具である。３３５，３３６はスピーカーである。
【００４０】
２１３は空調装置３１０が適用された室内の空気を空調装置３１０内に吸い込むための吸気口である。２１４は空調装置３１０内に吸い込まれた空気を室内に吹き出して循環させるための吹出口、２１５は空調装置３１０内に吸い込まれた空気を室外に排出するための排気口である。Ｄは空調装置３１０内に吸い込まれた空気を室内に吹き出して循環させるか、あるいは、室外に排出するかを切り換えるためのダンパである。Ｆ１は室内の空気を空調装置３１０内に吸い込み、その空気を室内に吹き出して循環させるか、あるいは、室外に排出するためのファンである。Ｆ’はファンＦを収容するためのファンケースである。ＭはファンＦ１を駆動するためのモータである。Ｈは室内に吹き出して循環せしめられる空気を加熱するためのヒータである。
【００４１】
第１の実施形態の空調装置では、室内の空気を加熱して循環させる暖房モードが設けられている。暖房モードが選択されると、図５に示すように、ダンパＤが実線で示す位置（Ｄ）に配置される。次いで、ファンＦ１により吸気口２１３を介して空調装置３１０内に吸い込まれた空気が、ダンパＤによって案内され、ヒータＨによって加熱され、吹出口２１４を介して室内に吹き出される。それにより、室内が暖められる。第１の実施形態の空調装置を例えば浴室に適用した場合には、暖房モードを選択して室内を暖めておくことにより、冬場の入浴時に入浴者が寒さを感じてしまうのを防止することができる。
【００４２】
更に、第１の実施形態の空調装置では、室内の空気を室外に排出する換気モードが設けられている。換気モードが選択されると、図５に示すように、ダンパＤが破線で示す位置（Ｄ’）に配置される。次いで、ファンＦ１により吸気口２１３を介して空調装置３１０内に吸い込まれた空気が、破線で示す位置（Ｄ’）に配置されたダンパＤによって案内され、排気口２１５を介して室外に排出される。
【００４３】
更に、第１の実施形態の空調装置では、室内の空気の一部を加熱して循環させつつ、室内の空気の一部を室外に排出する乾燥モードが設けられている。乾燥モードが選択されると、図５に示すように、ダンパＤが一点鎖線で示す位置（Ｄ”）に配置される。次いで、ファンＦ１により吸気口２１３を介して空調装置３１０内に吸い込まれた空気の一部が、一点鎖線で示す位置（Ｄ”）に配置されたダンパＤによって案内され、ヒータＨによって加熱され、吹出口２１４を介して室内に吹き出される。更に、ファンＦ１により吸気口２１３を介して空調装置３１０内に吸い込まれた空気の残りが、一点鎖線で示す位置（Ｄ”）に配置されたダンパＤによって案内され、排気口２１５を介して室外に排出される。例えば、第１の実施形態の空調装置が適用された部屋に衣類を吊るして、この部屋を衣類乾燥室として利用することができる。第１の実施形態の空調装置が浴室に適用される場合には、乾燥モードを用いることにより、浴室内のカビ等の発生を抑制することができる。
【００４４】
更に、第１の実施形態の空調装置では、室内の空気を加熱することなく循環させる涼風モードが設けられている。涼風モードが選択されると、図５に示すように、ダンパＤが実線で示す位置（Ｄ）に配置される。次いで、ファンＦ１により吸気口２１３を介して空調装置３１０内に吸い込まれた空気が、ダンパＤによって案内され、ヒータＨによって加熱されることなく、吹出口２１４を介して室内に吹き出される。なお、この涼風モードにおいて、ダンパＤの位置をＤ”よりにして一部の空気を排気しながら、吹出口２１４から室内へ吹き出し、空気が循環されるようにしてもよい。第１の実施形態の空調装置が浴室に適用される場合には、涼風モードを用いることにより、夏場の暑い時期に入浴者が涼しく入浴することができる。
【００４５】
上述したように、第１の実施形態の空調装置では、暖房モードと、換気モードと、乾燥モードと、涼風モードとが設けられているが、第１の実施形態の空調装置の変形例では、代わりに、例えば、それらのモードのうちの１つのみを設けることも可能である。
【００４６】
空調装置用本体ボックス内にスピーカーが配置され、空調装置用本体ボックスがスピーカーボックスとして用いられる形態の空調装置とは異なり、第１の実施形態の空調装置では、図５および図６に示すように、スピーカー３３５，３３６が空調装置本体用ボックス３１２のフランジ３１２’に取付けられ、スピーカー３３５，３３６の裏面（図５の上側の面）が、空調装置用本体ボックス３１２の外側空間に対して露出せしめられている。詳細には、空調装置用本体ボックス３１２が埋設された天井Ｔの内側空間であって、空調装置用本体ボックス３１２の外側空間に対して、スピーカー３３５，３３６の裏面が露出せしめられている。
【００４７】
すなわち、第１の実施形態の空調装置では、スピーカー３３５，３３６の裏面が、特開平５−１３３５８２号公報に記載された換気装置のように、換気装置用本体ボックスの内側の比較的小さい空間内に配置されるのではなく、空調装置用本体ボックス３１２の外側の比較的大きい空間内に配置されている。そのため、特開平５−１３３５８２号公報に記載された換気装置のようにスピーカーの裏面が比較的小さい空間内に配置されている場合よりも、音質、特には、低音質を向上させることができる。
【００４８】
詳細には、特開平５−１３３５８２号公報に記載された換気装置のように、換気装置用本体ボックスがスピーカーボックスとして用いられる場合には、スピーカーの裏面から出る音によって換気装置用本体ボックスが共振を起こしてしまい、スピーカーの表面から出る音の特に低音域が聞こえにくくなってしまう点に鑑み、第１の実施形態の空調装置では、空調装置用本体ボックス３１２がスピーカーボックスとして用いられず、スピーカー３３５，３３６の裏面が空調装置用本体ボックス３１２の外側に配置されている。そのため、空調装置用本体ボックスの共振に伴ってスピーカーの表面から出る音の特に低音域が聞こえにくくなってしまうという問題点を解消することができる。
【００４９】
第１の実施形態では、空調装置３１０が例えば浴室に適用されるが、第１の実施形態の変形例では、代わりに、空調装置３１０を浴室以外の部屋に適用することも可能である。
【００５０】
上述したように、第１の実施形態の空調装置およびその変形例では、スピーカー３３５，３３６が空調装置３１０と一体化せしめられており、空調装置３１０の設置工事が行われると、同時にスピーカー３３５，３３６も設置されることになるため、スピーカーと空調装置とが別個に設置される場合に比べ、設置工事を簡略化することができる。
【００５１】
また、上述したように、第１の実施形態の空調装置およびその変形例では、空調装置３１０を取付けるために形成された開口ｔが、スピーカー３３５，３３６を取付けるためのスペースとして活用されるため、空調装置を取付けるための開口とは別個にスピーカー取付け用開口を天井Ｔに別個に形成する必要性を排除することができる。
【００５２】
更に、上述したように、第１の実施形態の空調装置およびその変形例では、スピーカー３３５，３３６の表面から出る音と裏面から出る音とが互いに干渉してしまうのがフランジ３１２’および天井Ｔによって抑制されている。それにより、スピーカー３３５，３３６から発生する音の音質を向上させることができる。
【００５３】
また、上述したように、第１の実施形態の空調装置およびその変形例では、スピーカー３３５，３３６の裏面が空調装置用本体ボックス３１２内に密閉されないため、スピーカー３３５，３３６の振動板の振動を妨げる空気ばねの圧力が下がり、それにより、スピーカー３３５，３３６から発生する音の音質を向上させることができる。
【００５４】
更に、上述したように、第１の実施形態の空調装置およびその変形例では、スピーカー３３５，３３６の裏面が天井Ｔの裏側（図５の上側）に開放せしめられるため、スピーカー３３５，３３６の裏面から出る音と空調装置用本体ボックス３１２との共振を減少させることができ、それにより、スピーカー３３５，３３６から発生する音の音質を向上させることができる。
【００５５】
第１の実施形態の空調装置では、空調装置用本体ボックス３１２が天井Ｔに取付けられているが、第１の実施形態の空調装置の変形例では、代わりに、空調装置用本体ボックスを壁または床に取付けることも可能である。
【００５６】
以下、本発明の空調装置の第２の実施形態について説明する。図７は本発明の空調装置の第２の実施形態の断面図、図８は図７に示した空調装置を図７の下側（室内側）から見た図である。図７および図８において、図１〜図６に示した参照番号と同一の参照番号は、図１〜図６に示した部品または部分と同一の部品または部分を示している。４１０は第２の実施形態の空調装置、４１２は空調装置用本体ボックス、４１３はフロントパネル（カバー）である。４３１は空調装置用本体ボックス４１２を天井Ｔの裏側に固定するための固定具である。４３５，４３６はスピーカー３３５，３３６と同様に構成されたスピーカーである。
【００５７】
第２の実施形態の空調装置では、第１の実施形態の空調装置と同様に、暖房モード、換気モード、乾燥モード、および涼風モードが設けられている。第２の実施形態の空調装置の変形例では、代わりに、例えば、それらのモードのうちの１つのみを設けることも可能である。
【００５８】
空調装置用本体ボックス内にスピーカーが配置され、空調装置用本体ボックスがスピーカーボックスとして用いられる形態の空調装置とは異なり、第２の実施形態の空調装置では、図７および図８に示すように、スピーカー４３５，４３６が空調装置４１０のフロントパネル（カバー）４１３に取付けられ、スピーカー４３５，４３６の裏面（図７の上側の面）が、空調装置用本体ボックス４１２の外側空間に対して露出せしめられている。詳細には、空調装置用本体ボックス４１２が埋設された天井Ｔの内側空間であって、空調装置用本体ボックス４１２の外側空間に対して、スピーカー４３５，４３６の裏面が露出せしめられている。
【００５９】
すなわち、第２の実施形態の空調装置では、スピーカー４３５，４３６の裏面が、特開平５−１３３５８２号公報に記載された換気装置のように、換気装置用本体ボックスの内側の比較的小さい空間内に配置されるのではなく、空調装置用本体ボックス４１２の外側の比較的大きい空間内に配置されている。そのため、特開平５−１３３５８２号公報に記載された換気装置のようにスピーカーの裏面が比較的小さい空間内に配置されている場合よりも、音質、特には、低音質を向上させることができる。
【００６０】
詳細には、特開平５−１３３５８２号公報に記載された換気装置のように、換気装置用本体ボックスがスピーカーボックスとして用いられる場合には、スピーカーの裏面から出る音によって換気装置用本体ボックスが共振を起こしてしまい、スピーカーの表面から出る音の特に低音域が聞こえにくくなってしまう点に鑑み、第２の実施形態の空調装置では、空調装置用本体ボックス４１２がスピーカーボックスとして用いられず、スピーカー４３５，４３６の裏面が空調装置用本体ボックス４１２の外側に配置されている。そのため、空調装置用本体ボックスの共振に伴ってスピーカーの表面から出る音の特に低音域が聞こえにくくなってしまうという問題点を解消することができる。
【００６１】
第２の実施形態では、空調装置４１０が例えば浴室に適用されるが、第２の実施形態の変形例では、代わりに、空調装置４１０を浴室以外の部屋に適用することも可能である。
【００６２】
上述したように、第２の実施形態の空調装置およびその変形例では、スピーカー４３５，４３６が空調装置４１０と一体化せしめられており、空調装置４１０の設置工事が行われると、同時にスピーカー４３５，４３６も設置されることになるため、スピーカーと空調装置とが別個に設置される場合に比べ、設置工事を簡略化することができる。
【００６３】
また、上述したように、第２の実施形態の空調装置およびその変形例では、空調装置４１０を取付けるために形成された開口ｔが、スピーカー４３５，４３６を取付けるためのスペースとして活用されるため、空調装置を取付けるための開口とは別個にスピーカー取付け用開口を天井Ｔに別個に形成する必要性を排除することができる。
【００６４】
更に、上述したように、第２の実施形態の空調装置およびその変形例では、スピーカー４３５，４３６の表面から出る音と裏面から出る音とが互いに干渉してしまうのがフロントパネル（カバー）４１３および天井Ｔによって抑制されている。それにより、スピーカー４３５，４３６から発生する音の音質を向上させることができる。
【００６５】
また、上述したように、第２の実施形態の空調装置およびその変形例では、スピーカー４３５，４３６の裏面が空調装置用本体ボックス４１２内に密閉されないため、スピーカー４３５，４３６の振動板の振動を妨げる空気ばねの圧力が下がり、それにより、スピーカー４３５，４３６から発生する音の音質を向上させることができる。
【００６６】
更に、上述したように、第２の実施形態の空調装置およびその変形例では、スピーカー４３５，４３６の裏面が天井Ｔの裏側（図７の上側）に開放せしめられるため、スピーカー４３５，４３６の裏面から出る音と空調装置用本体ボックス４１２との共振を減少させることができ、それにより、スピーカー４３５，４３６から発生する音の音質を向上させることができる。
【００６７】
第２の実施形態の空調装置では、空調装置用本体ボックス４１２が天井Ｔの裏側に配置されているが、第２の実施形態の空調装置の変形例では、代わりに、空調装置用本体ボックスを壁または床の裏側に配置することも可能である。
【００６８】
以下、本発明の空調装置の第３の実施形態について説明する。図９は本発明の空調装置の第３の実施形態の断面図、図１０および図１１は図９に示した空調装置を図９の下側（室内側）から見た図である。詳細には、図１０はフロントパネル（カバー）５１３を取付けた状態を示した図、図１１はフロントパネル（カバー）５１３を取り外した状態を示した図である。図９〜図１１において、図１〜図８に示した参照番号と同一の参照番号は、図１〜図８に示した部品または部分と同一の部品または部分を示している。５１０は第３の実施形態の空調装置、５１２は空調装置用本体ボックスである。５３２は空調装置用本体ボックス５１２と天井Ｔとを橋絡するためのスピーカー取付け枠体である。５３５，５３６はスピーカー３３５，３３６と同様に構成されたスピーカーである。
【００６９】
第３の実施形態の空調装置では、第１の実施形態の空調装置と同様に、暖房モード、換気モード、乾燥モード、および涼風モードが設けられている。第３の実施形態の空調装置の変形例では、代わりに、例えば、それらのモードのうちの１つのみを設けることも可能である。
【００７０】
空調装置用本体ボックス内にスピーカーが配置され、空調装置用本体ボックスがスピーカーボックスとして用いられる形態の空調装置とは異なり、第３の実施形態の空調装置では、図９〜図１１に示すように、スピーカー５３５，５３６がスピーカー取付け枠体５３２に取付けられ、スピーカー５３５，５３６の裏面（図９の上側の面）が、空調装置用本体ボックス５１２の外側空間に対して露出せしめられている。詳細には、空調装置用本体ボックス５１２が埋設された天井Ｔの内側空間であって、空調装置用本体ボックス５１２の外側空間に対して、スピーカー５３５，５３６の裏面が露出せしめられている。
【００７１】
すなわち、第３の実施形態の空調装置では、スピーカー５３５，５３６の裏面が、特開平５−１３３５８２号公報に記載された換気装置のように、換気装置用本体ボックスの内側の比較的小さい空間内に配置されるのではなく、空調装置用本体ボックス５１２の外側の比較的大きい空間内に配置されている。そのため、特開平５−１３３５８２号公報に記載された換気装置のようにスピーカーの裏面が比較的小さい空間内に配置されている場合よりも、音質、特には、低音質を向上させることができる。
【００７２】
詳細には、特開平５−１３３５８２号公報に記載された換気装置のように、換気装置用本体ボックスがスピーカーボックスとして用いられる場合には、スピーカーの裏面から出る音によって換気装置用本体ボックスが共振を起こしてしまい、スピーカーの表面から出る音の特に低音域が聞こえにくくなってしまう点に鑑み、第３の実施形態の空調装置では、空調装置用本体ボックス５１２がスピーカーボックスとして用いられず、スピーカー５３５，５３６の裏面が空調装置用本体ボックス５１２の外側に配置されている。そのため、空調装置用本体ボックスの共振に伴ってスピーカーの表面から出る音の特に低音域が聞こえにくくなってしまうという問題点を解消することができる。
【００７３】
第３の実施形態では、空調装置５１０が例えば浴室に適用されるが、第３の実施形態の変形例では、代わりに、空調装置５１０を浴室以外の部屋に適用することも可能である。
【００７４】
上述したように、第３の実施形態の空調装置およびその変形例では、スピーカー５３５，５３６が空調装置５１０と一体化せしめられており、空調装置５１０の設置工事が行われると、同時にスピーカー５３５，５３６も設置されることになるため、スピーカーと空調装置とが別個に設置される場合に比べ、設置工事を簡略化することができる。
【００７５】
また、上述したように、第３の実施形態の空調装置およびその変形例では、空調装置５１０を取付けるために形成された開口ｔが、スピーカー５３５，５３６を取付けるためのスペースとして活用されるため、空調装置を取付けるための開口とは別個にスピーカー取付け用開口を天井Ｔに別個に形成する必要性を排除することができる。
【００７６】
更に、上述したように、第３の実施形態の空調装置およびその変形例では、スピーカー５３５，５３６の表面から出る音と裏面から出る音とが互いに干渉してしまうのがスピーカー取付け枠体５３２および天井Ｔによって抑制されている。それにより、スピーカー５３５，５３６から発生する音の音質を向上させることができる。
【００７７】
また、上述したように、第３の実施形態の空調装置およびその変形例では、スピーカー５３５，５３６の裏面が空調装置用本体ボックス５１２内に密閉されないため、スピーカー５３５，５３６の振動板の振動を妨げる空気ばねの圧力が下がり、それにより、スピーカー５３５，５３６から発生する音の音質を向上させることができる。
【００７８】
更に、上述したように、第３の実施形態の空調装置およびその変形例では、スピーカー５３５，５３６の裏面が天井Ｔの裏側（図９の上側）に開放せしめられるため、スピーカー５３５，５３６の裏面から出る音と空調装置用本体ボックス５１２との共振を減少させることができ、それにより、スピーカー５３５，５３６から発生する音の音質を向上させることができる。
【００７９】
第３の実施形態の空調装置では、空調装置用本体ボックス５１２がスピーカー取付け枠体５３２を介して天井Ｔに取付けられているが、第３の実施形態の空調装置の変形例では、代わりに、スピーカー取付け枠体を介して空調装置用本体ボックスを壁または床に取付けることも可能である。
【００８０】
以下、本発明の空調装置の第４の実施形態について説明する。第４の実施形態の空調装置は、後述する点を除き、上述した第１の実施形態の空調装置と同様に構成されている。図１２および図１３は本発明の空調装置の第４の実施形態の概略構成図である。詳細には、図１２（Ａ）は天井に取付けられた第４の実施形態の空調装置を室内側から見た部分断面図、図１２（Ｂ）は図１２（Ａ）に示した空調装置を図１２（Ａ）の左側から見た断面図、図１３（Ａ）は図１２（Ａ）に示した空調装置を図１２（Ａ）の上側から見た断面図、図１３（Ｂ）は図１２（Ａ）に示した空調装置を図１２（Ａ）の上側から見たスピーカーボックスの断面図である。
【００８１】
図１２および図１３において、１０１０は第４の実施形態の空調装置、１０１２は空調装置用本体ボックス、１０１２Ａは空調装置用本体ボックス１０１２とは別個に設けられたスピーカーボックス１０２０の一部を構成する例えば樹脂製の第１部材、１０１２Ｂはスピーカーボックス１０２０の一部を構成する例えば樹脂製の第２部材である。１０１３は空調装置用本体ボックス１０１２およびスピーカーボックス１０２０の前面（室内側の面）を覆うためのフロントパネル（カバー）、１０１３’はフロントパネル１０１３の一部を構成する突出部、１０３５はスピーカーボックス１０２０の一部を構成する第１部材１０１２Ａに取付けられたスピーカーである。１０６０はスピーカーボックス１０２０のうちスピーカー１０３５の背面に位置する部分に形成された穴である。
【００８２】
図１４は図１３（Ａ）に示した突出部１０１３’などの拡大図、図１５は図１３（Ｂ）の拡大図、図１６は図１２（Ａ）などに示したフロントパネル１０１３の斜視図である。図１４および図１５において、１０６５は第１部材１０１２Ａと第２部材１０１２Ｂとによって構成されたスピーカーボックス１０２０を空調装置用本体ボックス１０１２に対して取付けるためのネジ、１０６６は第１部材１０１２Ａと第２部材１０１２Ｂとを結合するためのネジである。図１５において、１０７０は第１部材１０１２Ａと第２部材１０１２Ｂとの間をシールするためのシール部材、１０７１は第１部材１０１２Ａとスピーカー１０３５との間をシールするためのシール部材、１０７２は吸音材である。スピーカー１０３５の背面に位置する部分に形成された穴１０６０は、弾性材１０６０’によって覆われている。図１２のように取付け手段であるネジ１０６５において、１０６５Ａ，１０６５Ｂ，１０６５Ｃ，１０６５Ｄのすべてを空調装置１０１０およびフロントパネル１０１３の長手方向の直交方向に対して平行に配置するのではなく、ネジ１０６５Ａ，１０６５Ｂと１０６５Ｃ，１０６５Ｄとを空調装置１０１０およびフロントパネル１０１３の長手方向に対して位置をずらして配置しているので、スピーカーボックス１０２０本体の取付け強度を向上させることができる。スピーカーボックス１０２０はネジ１０６５により、空調装置本体のフランジ部１０９０に取付けられている。
【００８３】
第４の実施形態の空調装置では、図１３および図１４に示したように、スピーカーボックス１０２０が空調装置用本体ボックス１０１２とは別個に設けられている。更に、図１５に示したように、スピーカーボックス１０２０のうちスピーカー１０３５の背面に位置する部分に穴１０６０が形成されている。そのため、スピーカー１０３５の裏面、詳細には、スピーカー１０３５の振動板の裏面にかかる空気の圧力を低減することができ、それにより、音圧および音質を向上させることができる。更に、上述したように、穴１０６０が弾性材（図示せず）によって覆われている。そのため、穴１０６０を介してスピーカーボックス１０２０内に湿気が浸入してしまうのを抑制すると共に、スピーカー１０３５の裏面から出た音が穴１０６０を介してスピーカー１０３５の前面に回り込み、スピーカー１０３５の前面から出た音と干渉してしまうのを抑制することができる。尚、図１３〜図１５には、左側のスピーカー１０３５およびスピーカーボックス１０２０のみが詳細に示してあるが、右側のスピーカーおよびスピーカーボックスも左側のスピーカーおよびスピーカーボックスと左右対称に構成されている。
【００８４】
更に、第４の実施形態の空調装置では、図１３，図１６などに示したように、突出部１０１３’がフロントパネル１０１３に設けられている。この突出部１０１３’は、スピーカー１０３５およびスピーカーボックス１０２０を覆っており、空調装置１０１０から室内への風の流れおよび室内から空調装置１０１０への風の流れを整流する整流効果を有する。
【００８５】
図１７は突出部１０１３’の整流効果を説明するための図である。詳細には、図１７（Ａ）は突出部１０１３’が設けられていない空調装置１１１０から浴室内に供給される空気の流れを示した図である。図１７（Ｂ）は突出部１０１３’が設けられた第４の実施形態の空調装置１０１０から浴室内に供給される空気の流れを示した図、図１７（Ｃ）は図１７（Ｂ）に示した空気の流れを図１７（Ｂ）の右側から見た図である。図１７（Ｄ）は突出部１０１３’が設けられていない空調装置１１１０に吸い込まれる浴室内の空気の流れを示した図、図１７（Ｅ）は突出部１０１３’が設けられた第４の実施形態の空調装置１０１０に吸い込まれる浴室内の空気の流れを示した図である。
【００８６】
図１７（Ｂ）および図１７（Ｃ）に示すように、突出部１０１３’がフロントパネル１０１３に設けられている第４の実施形態の空調装置１０１０においては、フロントパネルに突出部が設けられていない図１７（Ａ）に示した空調装置１１１０の場合よりも、空調装置１０１０から浴室内に供給される風の指向性を向上させることができる。詳細には、例えば空調装置１０１０からの風を浴室内の中央に集中的に供給することができる。
【００８７】
また、図１７（Ｅ）に示すように、突出部１０１３’がフロントパネル１０１３に設けられている第４の実施形態の空調装置１０１０においては、フロントパネルに突出部が設けられていない図１７（Ｄ）に示した空調装置１１１０の場合よりも効果的に浴室内の空気を空調装置１０１０内に吸い込むことができる。詳細には、浴室内の湿気を空調装置１０１０内に効果的に吸い込むことができる。
【００８８】
また、第４の実施形態の空調装置では、フロントパネル１０１３が空調装置用本体ボックス１０１２に取付けられる時に、突出部１０１３’が把持部として用いられる。そのため、把持部としての突出部が設けられていない場合よりもフロントパネル１０１３の取付けを容易にすることができる。
【００８９】
更に、第４の実施形態の空調装置では、図１３および図１４に示したように、空調装置用本体ボックス１０１２とは別個に設けられたスピーカーボックス１０２０が、空調装置用本体ボックス１０１２に対してネジ１０６５によって着脱可能に構成されている。詳細には、スピーカーボックス１０２０と空調装置用本体ボックス１０１２とが一体化された状態で空調装置１０１０が浴室の天井に取付けられる。そのため、スピーカーボックス１０２０と空調装置用本体ボックスとが別個に浴室の天井に取付けられる場合よりも空調装置１０１０の施工性を向上させることができる。
【００９０】
また、第４の実施形態の空調装置では、図１３（Ａ）に示したように、スピーカー１０３５およびスピーカーボックス１０２０が空調装置用本体ボックス１０１２の外部に配置されており、空調装置１０１０が天井に取付けられた時に、スピーカー１０３５およびスピーカーボックス１０２０が、天井裏に埋設されるのではなく、室内に突出せしめられる。そのため、空調装置１０１０を取付けるための天井の穴の開口面積および深さを小さく抑えることができる。また、スピーカーが空調装置用本体ボックスの内部に配置されるのに伴って空調装置内の空気の流れが妨げられて空調装置の性能が低下してしまうのを回避することができる。
【００９１】
更に、第４の実施形態の空調装置では、空調装置用本体ボックス１０１２が天井に取付けられた状態のままでスピーカー１０３５の交換が行われる。そのため、空調装置用本体ボックスを天井から取り外さなければならない場合よりもスピーカー交換を容易にすることができる。
【００９２】
また、第４の実施形態の空調装置では、図１２（Ａ）、図１３（Ａ）、図１６などに示したように、フロントパネル１０１３が空調装置用本体ボックス１０１２およびスピーカーボックス１０２０の両方を覆う一体型として構成されている。そのため、空調装置用本体ボックスのフロントパネルとスピーカーボックスのフロントパネルとを別個に取付けなければならない場合よりもフロントパネル１０１３の取付けを容易にすることができる。更に、空調装置用本体ボックスのフロントパネルとスピーカーボックスのフロントパネルとが別個に設けられている場合よりもフロントパネル１０１３のデザイン性を向上させることができる。
【００９３】
更に、第４の実施形態の空調装置では、図１５に示したように、スピーカーボックス１０２０を構成する第１部材１０１２Ａと第２部材１０１２Ｂとの間が、例えばパッキン等のようなシール部材１０７０によってシールされている。更に、第１部材１０１２Ａとスピーカー１０３５との間が、例えばパッキン等のようなシール部材１０７１によってシールされている。そのため、それらの隙間を介してスピーカーボックス１０２０内に湿気が浸入してしまうのを抑制することができる。また、例えば発泡ゴム、グラスウール等のような吸音材１０７２がスピーカーボックス１０２０内に配置されている。
【００９４】
第４の実施形態の空調装置では、第１の実施形態の空調装置と同様に、暖房モードと、換気モードと、乾燥モードと、涼風モードとが設けられているが、第４の実施形態の空調装置の変形例では、代わりに、例えば、それらのモードのうちの１つのみを設けることも可能である。
【００９５】
第４の実施形態では、空調装置１０１０が例えば浴室に適用されるが、第１０の実施形態の変形例では、代わりに、空調装置１０１０を浴室以外の部屋に適用することも可能である。
【００９６】
図１８は第４の実施形態の空調装置１０１０が適用されたスピーカーシステムの概略構成図である。図１８において、１０７５はコントローラ（操作部）、１０７６は電源ボックスである。第４の実施形態の空調装置１０１０が適用されたスピーカーシステムでは、図１８に示すように、コントローラ１０７５と電源ボックス１０７６とが別個に設けられている。そのため、コントローラと電源ボックスとが一体化されている場合よりもコントローラ１０７５を小型化することができる。詳細には、空調装置用コントローラとスピーカー用コントローラとが一体化されている。そのため、空調装置用コントローラとスピーカー用コントローラとが別個に設けられている場合よりも、例えば脱衣所のようなコントローラ設置場所におけるコントローラのデザイン性、およびコントローラの施工性を向上させることができる。
【００９７】
更に、第４の実施形態の空調装置１０１０が適用されたスピーカーシステムでは、図１８に示すように、脱衣所の壁に設置されたコントローラ１０７５に、例えば電源スイッチ、ボリュームスイッチ、ＣＤなどの第１の音響装置用入力端子、プリアンプ等が設けられ、浴室の天井裏に設置された電源ボックス１０７６には、例えば電源入力部、メインアンプ、ＴＶなどの第２の音響装置用入力端子等が設けられている。電源ボックス１０７６の入力用端子には、テレビ放送の代わりに有線放送等のような音声を入力することも可能である。
【００９８】
また、第４の実施形態の空調装置１０１０が適用されたスピーカーシステムでは、図１８に示すように、ＣＤ入力用端子を介して入力された音源と、ＴＶ入力用端子を介して入力された音源とが、単一のコントローラ１０７５によって制御される。
【００９９】
以下、本発明の空調装置の第５の実施形態について説明する。図１９は第５の実施形態の空調装置が適用された浴室などを示した図である。図１９において、１は、第５の実施形態の空調装置３１０が適用された浴室、２は浴室１内に配置された浴槽、３は浴室１の天井、４は浴室１の壁である。７は脱衣室、８は空調装置３１０の操作部である。１６０は空調装置３１０に設けられたスピーカー３３５，３３６の増幅器、１７０は例えば市販のポータブルプレーヤーのような音源である。
【０１００】
第５の実施形態の空調装置３１０は、後述する点を除き、図５，図６に示した第１の実施形態の空調装置３１０などと同様に構成されている。
【０１０１】
第５の実施形態の空調装置では、入浴者が入浴時に増幅器１６０をオフ状態からオン状態に切り換えなくても、入浴者が浴室１内に入室したと判断された時に、増幅器１６０がオフ状態からオン状態に自動的に切り換えられる。具体的には、浴室１の照明（図示せず）が点灯された時に、入浴者が浴室１内に入室したと判断され、増幅器１６０がオフ状態からオン状態に自動的に切り換えられる。第５の実施形態の空調装置の変形例では、更に、あるいは、代わりに、浴室１の照明（図示せず）が消灯された時に、入浴者が浴室１から退室したと判断し、増幅器１６０をオン状態からオフ状態に自動的に切り換えることも可能である。
【０１０２】
第５の実施形態の空調装置の変形例では、浴室１の照明（図示せず）が点灯された時に増幅器１６０をオフ状態からオン状態に自動的に切り換えるのに加え、あるいは、その代わりに、浴室１内に設けられた人体感知センサ（図示せず）が作動した時に、入浴者が浴室１内に入室したと判断し、増幅器１６０をオフ状態からオン状態に自動的に切り換えることも可能である。
【０１０３】
第５の実施形態の空調装置の他の変形例では、更に、あるいは、代わりに、上述した換気モード、乾燥モード、および涼風モードのいずれかが選択された時に、入浴者が浴室１内に入室したと判断し、増幅器１６０をオフ状態からオン状態に自動的に切り換えることも可能である。
【０１０４】
第５の実施形態の空調装置の更に他の変形例では、更に、あるいは、代わりに、上述した暖房モード、つまり、予備暖房モードによる運転が完了してから所定時間（ゼロ以上の任意の時間）が経過した時に、入浴者が浴室１内に入室したと判断し、増幅器１６０をオフ状態からオン状態に自動的に切り換えることも可能である。
【０１０５】
輻射暖房モード用の輻射ヒータ（図示せず）が設けられている第５の実施形態の更に他の変形例では、更に、あるいは、代わりに、輻射暖房モードが選択された時に、入浴者が浴室１内に入室したと判断し、増幅器１６０をオフ状態からオン状態に自動的に切り換えることも可能である。
【０１０６】
上述したように、第５の実施形態の空調装置およびその変形例では、スピーカー３３５，３３６が設けられた空調装置３１０などが、浴室に適用される。そのため、空調装置取付け用穴とは別個に、スピーカー取付け用穴を浴室の天井または壁に形成しなければならない煩雑さを排除することができる。また、空調装置３１０の配線作業とは別個に、スピーカーシステムの配線作業を行わなければならない煩雑さを排除することができる。つまり、空調装置とは別個に、スピーカーシステムが施工される場合よりも、施工性を向上させることができる。
【０１０７】
更に、第５の実施形態の空調装置およびその変形例では、入浴者が浴室１内に入室したと判断された時に、増幅器１６０がオフ状態からオン状態に自動的に切り換えられる。そのため、入浴者が入浴時に増幅器１６０をオフ状態からオン状態に手動で切り換えなければならない煩雑さを排除することができる。
【０１０８】
更に、第５の実施形態の空調装置では、スピーカー３３５，３３６の音量を設定するための操作部８と、上述したモードなどを選択するための操作部８とが一体化せしめられている。そのため、それらの操作部が別個に設けられている場合よりも操作性が向上せしめられている。
【０１０９】
第５の実施形態の空調装置の変形例では、上述した操作部８に音源１７０の操作機能を設けることも可能である。
【０１１０】
第５の実施形態の空調装置では、例えば操作部８の裏側に増幅器１６０が配置されているが、第５の実施形態の空調装置の変形例では、操作部８と増幅器１６０とを一体化させることも可能である。
【０１１１】
以下、本発明の空調装置の第６の実施形態について説明する。第６の実施形態の空調装置は、後述する点を除き、上述した第１から第５の実施形態の空調装置のいずれかと同様に構成されている。図２０は第６の実施形態の空調装置のブロック図である。図２０において、７１０は第６の実施形態の空調装置、７３５，７３６はスピーカー３３５，３３６などと同様に構成されたスピーカー、７５０は集音装置としてのマイクロフォン、７５１はマイクロフォン７５０によってサンプリングされた音に対して逆位相の音を例えばＤＰＳ等のデジタル演算処理により算出するための演算装置である。
【０１１２】
図２１は空調装置７１０の構成部品の作動に伴う騒音を低減するための処理方法を示したフローチャートである。図２１に示すルーチンは、例えば空調装置７１０が作動されると開始する。図２０および図２１に示すように、ステップ８００では、空調装置７１０が適用された室内の発生音が、マイクロフォン７５０によってサンプリングされる。次いで、ステップ８０１では、サンプリングされた音に対して逆位相の音が、演算装置７５１によって算出される。次いで、ステップ８０２では、スピーカー７３５，７３６によって逆位相の音が発生せしめられる。次いで、ステップ８０３では、このルーチンを終了するか否かが判断される。ＹＥＳの時には、このルーチンが終了され、ＮＯの時には、ステップ８００に戻り、ステップ８００からステップ８０２が繰り返される。
【０１１３】
詳細には、空調装置が作動されると、例えば図５などに示したモータＭの作動音、およびファンＦ１の風切音などが発生し、居住者にとって騒音になってしまう点に鑑み、第６の実施形態の空調装置では、騒音を低減するために、室内に発生している音に対して逆位相の音がスピーカー７３５，７３６から発生せしめられる。
【０１１４】
つまり、第６の実施形態の空調装置では、ステップ８０２において、マイクロフォン７５０により採集された音に対して逆位相の音がスピーカー７３５，７３６から発生せしめられる。詳細には、空調装置７１０の構成部品の作動音を打ち消すための逆位相の音がスピーカー７３５，７３６から発生せしめられる。そのため、空調装置７１０の構成部品の作動に伴う騒音を低減することができる。
【０１１５】
また、第６の実施形態の空調装置では、マイクロフォン７５０により、室内の騒音値のモニタリングを行うことも可能である。
【０１１６】
第６の実施形態では、空調装置７１０が例えば浴室に適用されるが、第６の実施形態の変形例では、代わりに、空調装置７１０を浴室以外の部屋に適用することも可能である。
【０１１７】
第６の実施形態の空調装置では、例えば空調装置の作動中にステップ８００からステップ８０２が繰り返し実行されるが、空調装置の構成部品の作動音には周期的な音が多く含まれる点に鑑み、第６の実施形態の空調装置の変形例では、空調装置の作動時間よりも短い所定時間の間だけ、マイクロフォン７５０によって音を採集することも可能である。つまり、第６の実施形態の空調装置よりもステップ８００およびステップ８０１の実行回数を低減することも可能である。それにより、空調装置の構成部品の作動時間中、マイクロフォン７５０によって音が採集され続ける場合よりも、逆位相の音の演算工程を簡素化することができる。
【０１１８】
第７の実施形態の空調装置では、上述した第１から第６の実施形態の空調装置およびそれらの変形例を適宜組み合わせることも可能である。
【０１１９】
第１から第７の実施形態およびそれらの変形例では、本発明の空調装置が例えば一戸建住宅のような住宅構造に適用されているが、第８の実施形態では、本発明の空調装置を例えばマンションの一世帯のような住宅構造に適用することも可能である。
【図面の簡単な説明】
【０１２０】
【図１】空調装置の概略斜視図である。
【図２】図１に示した空調装置の断面図である。
【図３】図２に示した空調装置を図２の左側から見た断面図である。
【図４】図２に示した空調装置を図２の上側（天井側）から見た図である。
【図５】本発明の空調装置の第１の実施形態の断面図である。
【図６】図５に示した空調装置を図５の下側（室内側）から見た図である。
【図７】本発明の空調装置の第２の実施形態の断面図である。
【図８】図７に示した空調装置を図７の下側（室内側）から見た図である。
【図９】本発明の空調装置の第３の実施形態の断面図である。
【図１０】図９に示した空調装置を図９の下側（室内側）から見た図である。
【図１１】図９に示した空調装置を図９の下側（室内側）から見た図である。
【図１２】本発明の空調装置の第４の実施形態の概略構成図である。
【図１３】本発明の空調装置の第４の実施形態の概略構成図である。
【図１４】図１３（Ａ）に示した突出部１０１３’などの拡大図である。
【図１５】図１３（Ｂ）の拡大図である。
【図１６】図１２（Ａ）などに示したフロントパネル１０１３の斜視図である。
【図１７】突出部１０１３’の整流効果を説明するための図である。
【図１８】第４の実施形態の空調装置１０１０が適用されたスピーカーシステムの概略構成図である。
【図１９】第５の実施形態の空調装置が適用された浴室などを示した図である。
【図２０】第６の実施形態の空調装置のブロック図である。
【図２１】空調装置７１０の構成部品の作動に伴う騒音を低減するための処理方法を示したフローチャートである。
【符号の説明】
【０１２１】
３１０  空調装置
３１２  空調装置用本体ボックス
３１２’  フランジ
３３５，３３６  スピーカー
１０１０  空調装置
１０１２  空調装置用本体ボックス
１０２０  スピーカーボックス
１０３５  スピーカー
１０９０  フランジ部
【図１】
0004623019.tif 000002
【図２】
0004623019.tif 000003
【図３】
0004623019.tif 000004
【図４】
0004623019.tif 000005
【図５】
0004623019.tif 000006
【図６】
0004623019.tif 000007
【図７】
0004623019.tif 000008
【図８】
0004623019.tif 000009
【図９】
0004623019.tif 000010
【図１０】
0004623019.tif 000011
【図１１】
0004623019.tif 000012
【図１２】
0004623019.tif 000013
【図１３】
0004623019.tif 000014
【図１４】
0004623019.tif 000015
【図１５】
0004623019.tif 000016
【図１６】
0004623019.tif 000017
【図１７】
0004623019.tif 000018
【図１８】
0004623019.tif 000019
【図１９】
0004623019.tif 000020
【図２０】
0004623019.tif 000021
【図２１】
0004623019.tif 000022